(57)【要約】【課題】従来の分別用カッターはオイルエレメントを作業者がレンチなどで回す必要があったから、その解体作業に手間がかかっていた。【解決手段】少なくとも一対のローラと、オイルエレメントに向かって位置調整可能なベース軸部と、該ベース軸部の中心軸を枢軸として該ベース軸部と連動して回動可能に設けた回動レバーとを備え、回転刃を前記ベース軸部の中心軸から偏心して設けるという手段を用いた。従って、回動レバーの操作によって回転刃の位置が変わり、回動レバーによって回転刃のオイルエレメントに対する押し当て力を調整することができる。また、本発明では少なくとも一のローラを回転駆動させることにより、これと連動してオイルエレメントを回転させるという手段を用いている。【選択図】　　　　図１
2004009250.tif 000002
【特許請求の範囲】
【請求項１】
少なくとも一対のローラと、オイルエレメントに向かって位置調整可能なベース軸部と、該ベース軸部の中心軸を枢軸として該ベース軸部と連動して回動可能に設けた回動レバーとを備え、回転刃を前記ベース軸部の中心軸から偏心して設けてなると共に、前記ローラのうち少なくとも一のローラを回転駆動させることにより、これと連動してオイルエレメントを回転させることを特徴とするオイルエレメントの分別用カッター。
【請求項２】
前記回転駆動するローラは、汎用の回転工具を駆動源として該回転工具と連結可能とした請求項１記載の分別用カッター。
【請求項３】
前記回転駆動するローラは、オイルエレメントの下方フランジに食い込む連動当接部を備えてなる請求項１または２記載の分別用カッター。
【請求項４】
前記回転工具は、エアツールである請求項２または３記載の分別用カッター。
【発明の詳細な説明】
【０００１】
【発明の属する技術分野】
この発明は、自動車のオイルエレメントの廃棄処理に際し、主にカバーと内部フィルターを分別するために用いる分別用カッターに関するものである。
【０００２】
【従来の技術】
自動車のオイルエレメントは、紙製のフィルターを金属製のカバーに収容してなるが、これを廃棄するときは両者を分別することが好ましい。そのための分別用カッターとして、特開２０００−１９８０１７、特開２００１−２５２８１９、特開２００１−７１２１１所載の発明（以下、この順に「第一の発明」、「第二の発明」、「第三の発明」という。）が既に公知である。これら発明は何れも、カバーの下周面を回転刃によって切断することにより、内部フィルターを取り出し、両者を分別廃棄することができるというものである。その基本的な構造は、何れも一対のローラと回転刃の三点支持によりオイルエレメントを直立した状態でセットした後、エレメントを回転させることによって、その下周面を回転刃によって切断するというものである。ここで、一対のローラは位置が固定されているが、回転刃をスライドさせることができるため、エレメントの直径を選ばずセットでき、また切断中においても回転刃のエレメントに対する押し当て力を強めることができるので、エレメントを数回転させるだけで下周面を切断することができる。
【０００３】
【発明が解決しようとする課題】
しかしながら、従来の技術では次のような課題がある。即ち、上述した第一および第二の発明によれば、エレメントをレンチによって手動で回転させる上、回転刃を手動でスライドさせるようにしている。つまり、作業者は両手を使ってエレメントの回転操作と回転刃のスライド操作を同時に行う必要がある。しかしながら、これらは操作方向も異なるし、力加減も異なるため、切断作業が非常に行い難い。一方、上述した第三の発明によれば、一対のローラに自動回転機能を加えているため、上記第一・第二の発明のように作業者はエレメントを手動で回転する必要がない。しかしながら、この第三の発明の場合、ローラに回転機構を内蔵する必要がある分、装置が高価となる。また、ローラの機構が複雑になる分、メンテナンス性も悪化する。
【０００４】
本発明は上述した課題を解決するためになされたもので、その目的とするところは、構成を徒に複雑化することなく作業性に優れた分別用カッターを提供することである。
【０００５】
【課題を解決するための手段】
上述した目的とを達成するために本発明では、少なくとも一対のローラと、オイルエレメントに向かって位置調整可能なベース軸部と、該ベース軸部の中心軸を枢軸として該ベース軸部と連動して回動可能に設けた回動レバーとを備え、回転刃を前記ベース軸部の中心軸から偏心して設けるという手段を用いた。これによれば、回動レバーの操作によってベース軸部は同軸的に回動するものの、回転刃はベース軸部から偏心して設けられているため、回動レバーの操作によって回転刃の位置が変わる。よって、本発明では回動レバーによって回転刃のオイルエレメントに対する押し当て力を調整することができる。
【０００６】
また、本発明では、少なくとも一のローラを回転駆動させることにより、これと連動してオイルエレメントを回転させるという手段を用いており、請求項２では、前記回転駆動するローラは、汎用の回転工具を駆動源として該回転工具と連結可能とするという手段を用いた。これら手段によれば、前記ローラにモータを内蔵等させるか、若しくは、回転工具によって、当該ローラを介してオイルエレメントを回転させることができる。従って、手動でオイルエレメントを回転させる必要がなく、当該エレメントの解体作業が容易となる。
【０００７】
また、請求項３では、前記回転駆動するローラは、オイルエレメントの下方フランジに食い込む連動当接部を備えるという手段を用いた。この手段によれば、より確実にオイルエレメントをローラと連動して回転させることができる。
【０００８】
また、請求項４では、前記回転工具としてエアツールを用いることとした。この手段によれば、電動ツールとは異なり、スパークしたり、熱の発生もないから、廃油に引火するおそれがなく、例えばガソリンスタンド等の火気厳禁である場所でも安全にオイルエレメントの解体作業を進めることができる。
【０００９】
【発明の実施の形態】
以下、添付した図面に従って本発明の最良の実施形態を説明する。図１は、本発明の一実施形態に係る分別用カッターの全体斜視図である。同図中、１は支持台、２・３は支持台１上に設けられた一対のローラ、４は一対のローラ２・３とによりオイルエレメントを直立状態で支持する位置に設けられた回転刃である。なお、５は支持台１を載置したペール缶、６はペール缶５に設けられたパンチングプレートであり、オイルエレメントの解体時に切断片等の異物はパンチングプレート６によって受け、廃油のみをペール缶５に滴下させるようにしたものである。
【００１０】
図２、３に従って、上記分別用カッターの詳細な構造を説明すると、先ず、回転刃４は、支持台１上を前記一対のローラ２・３に向かって前後にスライド自在に設けられた位置調整バー７の先方端に設けられている。この位置調整バー７は、先端に円盤部７ａを一体に設け、該円盤部７ａから下方に突出したスライド片（図示せず）を支持台１に長手方向に形成したスライド溝１ａに挿嵌することによって前後にスライド自在としている。また、位置調整バー７の外周面には雄ネジ７ｂが刻設されており、支持台１の後端に設けた雌ネジ部１ｂと螺合してネジ進行によってもスライドさせることができる。ただし、雌ネジ部１ｂはピン１ｃによって開閉自在に設けられており、雌ネジ部１ｂを開いた状態では位置調整バー７は雌ネジ部１ｂと螺合せず、自由にスライドさせることができる。つまり、オイルエレメントのセット時には、先ず雌ネジ部１ｂを開いた状態にして位置調整バー７を前方にスライドさせ、その後、雌ネジ部１ｂを閉じて雄ネジ７ｂと螺合させることにより位置調整バー７をネジ作用によって微調整することができる。従って、全てをネジ作用によってスライドさせる場合に比べてオイルエレメントを素早くセットすることができる。なお、位置調整バー７をネジ進行させるときは、その後端に設けたハンドル８を回転させる。
【００１１】
さらに、回転刃４は、位置調整バー７の先方端に位置して回動レバー９と連動する。回動レバー９はその先端のベース軸部９ａを枢軸９ｂによって位置調整バー７の円盤部７ａに同心状且つ回動自在に設けている。そして、回転刃４は、その中心軸４ａを回動レバー９のベース軸部９ａにその枢軸９ｂから偏心して回転可能に設けられている。このため、図４に示したように、回動レバー９を前方（紙面右方向）に回動させるほど、回転刃４はその刃先を前方（紙面右方向）に突出する。つまり、回動レバー９の回動範囲を調整することによって、回転刃４のオイルエレメントＥに対する押し当て力を加減することができる。
【００１２】
次に、一対のローラ２・３のうち一のローラ３は、図５に示したように、エア式の汎用回転工具１０を駆動源として回転する。即ち、ローラ３の上端には前記回転工具１０の角軸キー１０ａが差し込み可能なキー孔３ａが形成されている。また、このローラ３の下方周縁には食い込み歯３ｂが周設されており、この食い込み歯３ｂを連動当接部としてオイルエレメントの下方フランジと当接させることにより、ローラ３の回転力をオイルエレメントに伝達し、両者を連動して回転させるようにしている。
【００１３】
上記構成の分別用カッターの使用方法および作用を説明すると、オイルエレメントをローラ２・３と接触するように直立状態で載置し、先ず位置調整バー７を雌ネジ部１ｂを開いた状態で前方にスライドさせ、回転刃４がオイルエレメントと接触ないし近接したところで前記雌ネジ部１ｂを閉じて位置調整バー７をネジ作用によって前方に進行させる。次に、回転工具１０を一のローラ３に連結し、回転工具１０を駆動する。すると、ローラ３の回転と連動してオイルエレメントが回転しだす。そして、回動レバー９を操作することによって回転刃４のオイルエレメントに対する押し当て力を調整する。こうした操作によりオイルエレメントは数回転したところで、その下周面が切断され、廃油はペール缶に滴下すると共に、カバーに収容されていた内部フィルターを分別することができる。
【００１４】
このように本実施形態の分別用カッターによれば、オイルエレメントを回転工具１０によりローラ３を介して回転させるようにしたので、作業員は回転レバーを操作するだけで簡単にオイルエレメントの解体作業を行うことができる。また、回転刃４のオイルエレメントに対する押し当て力の調整は回動レバー９によって行われるため、従来のように位置調整バー７のネジ進行による場合と比べて操作が容易で、しかも、回動レバー９を力点、その枢軸９ｂを支点、回転刃４を作用点というてこ構造となるため、力の加減が容易で、且つ、強い力を容易に加えることができる。
【００１５】
なお、本発明については上述した実施形態に拘泥せず、種々の変更が可能である。先ず、廃油の容器はペール缶５に限らずドラム缶やオイルパン、その他容器は何れであってもよく、また省略することも可能である。次に、パンチングプレート６に代えてネットを採用することもできる。ただし、これはオイルから固形物を分離するために用いられるものであるため、その必要がないときは省略することも可能である。さらに、上記実施形態ではオイルエレメントの回転装置としてエア式の回転工具１０を用いたが、これは電動ツールであってもよい。さらにローラ３に手動レンチを連結することであってもよい。この点に関して、上記実施形態では一対のローラのうち一を駆動用ローラ３として上記回転装置と連結可能としたが、当該駆動用ローラ３は別途の回転装置と連結する構造だけでなく、該ローラ３にモータ等の駆動源を内蔵した構造のものであってもよい。さらに、当該駆動用ローラ３とオイルエレメントの当接連動部は上記実施形態のように食い込み歯３ｂに限らず、駆動用ローラの回転力がオイルエレメントを回転駆動させるように伝達するものであればよい。このような観点からローラ３にゴム製のリングを設けてオイルフィルターと摩擦的に連結して両者を連動させる手段も考えられるが、この場合、前記当接連動部にオイルが浸透すると摩擦的係合が得られないため、上記連結部分にはオイルの接触を防止するような手段を講じることが好ましい。
【００１６】
他方、上記実施形態ではオイルエレメントのカバーのみを切断することとしたが、その後、内部から取り出されるフィルターは未だ上底面に円盤状の金属部が残留している。そこで、このフィルターから上記円盤状の金属部をも本解体装置によって切断分別することも可能である。即ち、内部フィルターはオイルエレメントと同じく円筒状であり、且つ、その切断部はフィルターの下方周縁と同じであるため、当該切断分別するときもフィルターをエレメントと同じ要領によってセット・切断し、金属部を分離することができるのである。ただし、本発明装置に従来技術にあるような公知のフィルター専用の押切装置を構成してもよいことはもちろんである。
【００１７】
さらに、上記実施形態では、オイルエレメントを別途の回転工具と連結される駆動用ローラ３により間接的に回転させることとしたが、該回転工具を用いず、オイルエレメントを直接回転させることも可能である。即ち、オイルエレメントを交換レンチなどによって直接回転させることも可能である。本発明で、最も重要なことは、回転刃４を回転レバー９の枢軸９ｂから偏心して設けることである。
【００１８】
さらにまた、上記実施形態では、オイルエレメントを一対のローラと回転刃の組み合わせにより、三点支持することとしたが、ローラの数や回転刃の数はこれに限定されるものではなく、その数を増加する変更も可能である。即ち、ローラの数を増加させれば、オイルエレメントをより安定して支持することができるし、また回転刃の数を増加させれば、オイルエレメントをより早く・確実に切断することができる。
【００１９】
【発明の効果】
以上説明したように、請求項１の発明によれば、回転刃を回動レバーの枢軸から偏心して設けたので、回転刃のオイルエレメントに対する押し当て力を容易に加減することができる。また、少なくとも一のローラによりオイルエレメントを回転させることとしたので、該ローラを内部モータ等によって自動回転させるようにすれば、作業員は回動レバーを操作するのみでオイルエレメントの解体作業を行うことができる。また、請求項２では、ローラを汎用の回転工具により回転させることとしたので、回転機構の構成が簡易で、しかも汎用工具の使用により合理的である。さらに、請求項３では、ローラにオイルエレメントの下方フランジに食い込む連動当接部を設けたので、ローラの回転力をより確実にオイルエレメントに伝達することができる。さらに、請求項４では、ローラの回転工具としてエアツールを用いることとしたので、熱の発生がなく、廃油に引火するおそれ等のない安全な構成とすることができる。
【図面の簡単な説明】
【図１】本発明の一実施形態に係る分別用カッターの全体斜視図
【図２】同、平面図
【図３】同、側面図
【図４】回動レバーと回転刃の連動関係を示した説明図
【図５】駆動用ローラの詳細を示した説明図
【符号の説明】
１　支持台
２　ローラ
３　駆動用ローラ
４　回転刃
５　ペール缶
６　パンチングプレート
７　位置調整バー
８　ハンドル
９　回動レバー
１０　回転工具
【図１】
2004009250.tif 000003
【図２】
2004009250.tif 000004
【図３】
2004009250.tif 000005
【図４】
2004009250.tif 000006
【図５】
2004009250.tif 000007